【手続補正書】
【提出日】平成25年2月14日(2013.2.14)
【手続補正１】
【補正対象書類名】特許請求の範囲
【補正対象項目名】全文
【補正方法】変更
【補正の内容】
【特許請求の範囲】
【請求項１】
コンテンツデータを表す表示オブジェクトを表示部に表示するよう制御する表示制御手段と、
前記表示部へのタッチ位置を検出する検出手段と、
前記表示部に表示された単一の前記表示オブジェクトにおいて２箇所のタッチ位置を前記検出手段により検出したか否かを判定する判定手段と、
前記判定手段により、単一の前記表示オブジェクトに２箇所のタッチ位置を検出したと判定した場合に、タッチしたまま前記タッチ位置が移動して、移動後の２箇所のタッチ位置の間が所定距離以上になった場合に、前記表示オブジェクトが表すコンテンツデータを複製して記録媒体に記録するための制御を行う制御手段と
を有することを特徴とする表示制御装置。
【請求項２】
前記表示オブジェクトが表すコンテンツデータが複製できないものである場合に、警告を行う警告手段をさらに有することを特徴とする請求項１に記載の表示制御装置。
【請求項３】
コンテンツデータを表す表示オブジェクトを表示部に表示するよう制御する表示制御手段と、
前記表示部へのタッチ位置を検出する検出手段と、
前記表示部に表示された単一の前記表示オブジェクトにおいて３箇所のタッチ位置を前記検出手段により検出したか否かを判定する判定手段と、
前記判定手段により、単一の前記表示オブジェクトに３箇所のタッチ位置を検出したと判定した場合に、タッチしたまま前記３箇所のうちの１または２箇所のタッチ位置が移動して、前記移動したタッチ位置と移動前のタッチ位置との間が所定距離以上になった場合に、前記表示オブジェクトのうち、前記移動したタッチ位置に係るコンテンツデータを複製して記録媒体に記録するための制御を行う制御手段と
を有することを特徴とする表示制御装置。
【請求項４】
前記３箇所のタッチ位置のうちの２箇所のタッチ位置が移動した場合、前記制御手段は、前記表示オブジェクトの前記２箇所のタッチ位置に係る範囲のコンテンツデータを複製するように制御することを特徴とする請求項３に記載の表示制御装置。
【請求項５】
前記３箇所のタッチ位置のうちの１箇所のタッチ位置が移動した場合、前記制御手段は、前記表示オブジェクトの前記１箇所のタッチ位置に係るフレーム画像が示す範囲を動画データとして複製するように制御することを特徴とする請求項３または４に記載の表示制御装置。
【請求項６】
前記３箇所のタッチ位置のうちの１箇所のタッチ位置が移動した場合、前記制御手段は、前記表示オブジェクトの前記１箇所のタッチ位置に係るフレーム画像を静止画データとして複製するように制御することを特徴とする請求項３または４に記載の表示制御装置。
【請求項７】
前記表示オブジェクトが表すコンテンツデータが複製できないものである場合に、警告を行う警告手段をさらに有することを特徴とする請求項３〜６の何れか１項に記載の表示制御装置。
【請求項８】
前記判定手段により、単一の前記表示オブジェクトに２箇所のタッチ位置を検出したと判定した場合に、前記制御手段は、
タッチしたまま前記タッチ位置が第１の方向に移動して、移動後の２箇所のタッチ位置の間の前記第１の方向の距離が所定距離以上になった場合に、前記表示オブジェクトが表すコンテンツデータを複製して記録媒体に記録するための制御を行い、
タッチしたまま前記タッチ位置が第２の方向に移動した場合に、移動後の２箇所のタッチ位置の間の距離に応じた数のフレーム画像を前記表示オブジェクトが表すコンテンツデータから抽出し、前記移動後の２箇所のタッチ位置の間に前記抽出したフレーム画像を表示するように制御することを特徴とする請求項１または２に記載の表示制御装置。
【請求項９】
前記判定手段により、単一の前記表示オブジェクトに３箇所のタッチ位置を検出したと判定した場合に、前記制御手段は、
タッチしたまま前記３箇所のうちの１または２箇所のタッチ位置が移動して、前記移動したタッチ位置と移動前のタッチ位置との間の第１の方向の距離が所定距離以上になった場合に、前記表示オブジェクトが表すコンテンツデータを複製して記録媒体に記録するための制御を行い、
タッチしたまま前記３箇所のうちの１または２箇所のタッチ位置が第２の方向に移動した場合に、移動後のタッチ位置の間の距離に応じた数のフレーム画像を前記表示オブジェクトが表すコンテンツデータから抽出し、前記移動後のタッチ位置の間に前記抽出したフレーム画像を表示するように制御することを特徴とする請求項３〜７の何れか１項に記載の表示制御装置。
【請求項１０】
前記表示制御手段は、前記検出手段によって検出されたタッチ位置に表示されている前記表示オブジェクトの表示位置を、前記タッチ位置の移動に追従して変更し、
前記表示部の２箇所がタッチされ、それぞれのタッチ位置でそれぞれ異なる表示オブジェクトがタッチされた場合に、前記２箇所のタッチ位置の距離が、少なくとも一方のタッチ位置の移動により所定値以下となると、前記制御手段は、前記それぞれ異なる表示オブジェクトが表すコンテンツデータを、前記タッチ位置の移動に追従して変更された表示オブジェクトの表示位置に基づいた順番で結合した単一のコンテンツデータを生成するための制御を行うことを特徴とする請求項１〜９の何れか１項に記載の表示制御装置。
【請求項１１】
前記コンテンツデータは動画であることを特徴とする請求項１〜１０の何れか１項に記載の表示制御装置。
【請求項１２】
前記コンテンツデータは音声データであることを特徴とする請求項１〜１０の何れか１項に記載の表示制御装置。
【請求項１３】
前記表示制御装置は、撮像手段を備える撮像装置であることを特徴とする請求項１〜１２の何れか１項に記載の表示制御装置。
【請求項１４】
前記表示制御装置は、携帯電話端末であることを特徴とする請求項１〜１３の何れか１項に記載の表示制御装置。
【請求項１５】
コンテンツデータを表す表示オブジェクトを表示部に表示するよう制御する表示制御ステップと、
前記表示部へのタッチ位置を検出する検出ステップと、
前記表示部に表示された単一の前記表示オブジェクトにおいて２箇所のタッチ位置を前記検出ステップにより検出したか否かを判定する判定ステップと、
前記判定ステップにより、単一の前記表示オブジェクトに２箇所のタッチ位置を検出したと判定した場合に、タッチしたまま前記タッチ位置が移動して、移動後の２箇所のタッチ位置の間が所定距離以上になった場合に、前記表示オブジェクトが表すコンテンツデータを複製して記録媒体に記録するための制御を行う制御ステップと
を有することを特徴とする表示制御装置の制御方法。
【請求項１６】
コンテンツデータを表す表示オブジェクトを表示部に表示するよう制御する表示制御ステップと、
前記表示部へのタッチ位置を検出する検出ステップと、
前記表示部に表示された単一の前記表示オブジェクトにおいて３箇所のタッチ位置を前記検出ステップにより検出したか否かを判定する判定ステップと、
前記判定ステップにより、単一の前記表示オブジェクトに３箇所のタッチ位置を検出したと判定した場合に、タッチしたまま前記３箇所のうちの１または２箇所のタッチ位置が移動して、前記移動したタッチ位置と移動前のタッチ位置との間が所定距離以上になった場合に、前記表示オブジェクトのうち、前記移動したタッチ位置に係るコンテンツデータを複製して記録媒体に記録するための制御を行う制御ステップと
を有することを特徴とする表示制御装置の制御方法。
【請求項１７】
コンピュータを、請求項１〜１４の何れか１項に記載の表示制御装置の各手段として機能させるためのプログラム。
【請求項１８】
コンピュータを、請求項１〜１４の何れか１項に記載の表示制御装置の各手段として機能させるためのプログラムを記録したことを特徴とするコンピュータ読み取り可能な記録媒体。
【手続補正２】
【補正対象書類名】明細書
【補正対象項目名】発明の名称
【補正方法】変更
【補正の内容】
【発明の名称】表示制御装置及び表示制御装置の制御方法
【手続補正３】
【補正対象書類名】明細書
【補正対象項目名】０００１
【補正方法】変更
【補正の内容】
【０００１】
本発明は表示制御装置、表示制御装置の制御方法、プログラム及び記録媒体に関し、特に、タッチパネル等を操作するために用いて好適な技術に関する。
【手続補正４】
【補正対象書類名】明細書
【補正対象項目名】０００８
【補正方法】変更
【補正の内容】
【０００８】
本発明の表示制御装置は、コンテンツデータを表す表示オブジェクトを表示部に表示するよう制御する表示制御手段と、前記表示部へのタッチ位置を検出する検出手段と、前記表示部に表示された単一の前記表示オブジェクトにおいて２箇所のタッチ位置を前記検出手段により検出したか否かを判定する判定手段と、前記判定手段により、単一の前記表示オブジェクトに２箇所のタッチ位置を検出したと判定した場合に、タッチしたまま前記タッチ位置が移動して、移動後の２箇所のタッチ位置の間が所定距離以上になった場合に、前記表示オブジェクトが表すコンテンツデータを複製して記録媒体に記録するための制御を行う制御手段とを有することを特徴とする。